(57)【特許請求の範囲】
【請求項１】
綿麻素材編物用のインクジェット捺染装置であって、主体と前記主体の中に設置された左右に貫通した操作空間とを含み、前記操作空間の底壁の中には上方に開口したスライド空間が設置され、前記スライド空間の中にはスライド台がスライド可能に設置され、前記スライド空間の左右端壁の中には前記スライド台を連動させて左右に移動させることができる横移動装置が設置され、前記横移動装置は前記スライド空間の左側端壁の中に設置された第一歯車空間と前記スライド空間の右側端壁の中に設置されたロック空間とを含み、前記ロック空間の底壁の中には前記横移動装置をロックできるロック装置が設置され、前記ロック空間の中にはロック輪が回転可能に設置され、前記ロック装置は前記ロック輪の持つ片方向ロック特性を利用し、前記横移動装置の段階的移動とロックとを輔助でき、前記スライド台の頂壁の中には上方に開口した空き空間が設置され、前記空き空間の中には支持ブロックがスライド可能に設置され、前記支持ブロックの中には前記支持ブロックを前後に移動させることができる縦移動装置が設置され、前記縦移動装置は前記支持ブロックの中に設置された伝動空間を含み、前記伝動空間の中にはネジ山スリーブが設置され、前記ネジ山スリーブが回転することで前記支持ブロックを連動させて前後に移動させることができ、前記支持ブロックと前記スライド台とが移動することで、ノズルを連動させて既定の軌跡に沿って移動させることができ、それにより、前記編物に対する吹きかけを可能にし、前記操作空間の前後端壁の中には対向に開口した第一スライド溝が形成され、前記第一スライド溝の中にはスライド板がスライド可能に設置され、前記支持ブロックの前後端壁の中には凹溝が対称に形成され、前記支持ブロックが前記空き空間の前後両側の末端に移動する時に、前記凹溝の端壁と前記スライド板とが当接し、そして前記スライド板は駆動されて移動し、それにより、前記横移動装置は次の位置に移動することができることを特徴とする綿麻素材編物用のインクジェット捺染装置。
【請求項２】
前記横移動装置は前記スライド空間と前記第一歯車空間との間に設置されたラチェット空間を含み、前記ラチェット空間と前記第一歯車空間との間には第一回転軸が回転可能に設置され、前記ラチェット空間の中にある前記第一回転軸の末端にはラチェットが固定的に設置され、前記第一歯車空間の中にある前記第一回転軸の末端には第一歯車が固定的に設置され、前記スライド台の中には左右に貫通した第一ネジ穴が設置され、前記第一ネジ穴の中には第一スクリューがネジ山で連結され、前記第一スクリューの左側末端は前記ラチェット空間の中に延在し、且つ前記第一スクリューの末端には前記ラチェットと協働できるラチェット盤が固定的に設置され、前記第一スクリューの右側末端は前記ロック空間の中に延在し、且つ前記第一スクリューの末端には前記ロック空間の右側端壁と連結された捻りばねが固定的に設置されていることを特徴とする請求項１に記載の綿麻素材編物用のインクジェット捺染装置。
【請求項３】
前記操作空間の前後端壁の中には第二歯車空間が対称に設置され、前記第二歯車空間と前記第一スライド溝とは連通され、前記スライド板と前記第一スライド溝の端壁との間には第一復位装置が設置され、前記スライド板の底壁には第一ラックが固定的に設置され、前記第二歯車空間の中には第二歯車が回転可能に設置され、後側の前記第二歯車空間と前記第一歯車空間との間には第二スライド溝が連通するように形成され、前記第二スライド溝の中には前記第二歯車と噛み合った第二ラックがスライド可能に設置され、前側の前記第二歯車空間の底壁の中には移動空間が設置され、前記移動空間の中にはスライドブロックがスライド可能に設置され、前記スライドブロックの頂壁の中には前側の前記第二歯車と噛み合った第三ラックが設置され、前記移動空間と前記第一歯車空間との間には第三スライド溝が連通するように形成され、前記第三スライド溝の中には前記スライドブロックと固定的に連結された第四ラックがスライド可能に設置されていることを特徴とする請求項１に記載の綿麻素材編物用のインクジェット捺染装置。
【請求項４】
前記ロック装置は前記ロック空間の中にある前記第一スクリューの外表面に固定的に設置されたロック輪を含み、前記ロック空間の底壁の中には上方に開口した第一スライド孔が設置され、前記第一スライド孔の中には第一スライド棒がスライド可能に設置され、前記第一スライド棒と前記第一スライド孔の端壁との間には第二復位装置が設置され、前記第一スライド棒の中には左右に貫通した楔形孔が設置され、前記スライド空間の右側端壁の中には前記第一スライド孔を貫通した第二スライド孔が設置され、前記第二スライド孔の中には第二スライド棒がスライド可能に設置され、前記第二スライド棒と前記スライド台との間には引き線が固定的に設置されていることを特徴とする請求項２に記載の綿麻素材編物用のインクジェット捺染装置。
【請求項５】
前記縦移動装置は前記伝動空間の中に回転可能に設置されたネジ山スリーブを含み、前記ネジ山スリーブの中には前後に貫通した第二ネジ穴が設置され、前記第二ネジ穴の中には第二スクリューがネジ山で連結され、前記第二スクリューの前後両側の末端は前記空き空間の前後端壁に固定的に設置され、前記伝動空間の中にある前記ネジ山スリーブの外表面には第一傘歯車が固定的に設置され、前記伝動空間の左側端壁の中には駆動モータが固定的に設置され、前記駆動モータの出力軸の末端には前記駆動モータと噛み合った第二傘歯車が固定的に設置され、前記支持ブロックの中には前後に貫通した第三スライド孔が設置され、前記第三スライド孔の中には第三スライド棒がスライド可能に設置され、前記第三スライド棒の前後両側の末端は前記空き空間の前後端壁に固定的に設置されていることを特徴とする請求項１に記載の綿麻素材編物用のインクジェット捺染装置。
【請求項６】
前記スライド空間と前記操作空間との連通部には編物を平らに置くことができる支持板が固定的に設置され、吹きかけに便利であることを特徴とする請求項１に記載の綿麻素材編物用のインクジェット捺染装置。
【請求項７】
前記ノズルは多色の吹きかけを行うことができ、吹きかけの効果をより良くさせ、色をより豊かにさせることを特徴とする請求項１に記載の綿麻素材編物用のインクジェット捺染装置。
【発明の詳細な説明】
【技術分野】
【０００１】
本発明は編物捺染分野を取り上げ、具体的に綿麻素材編物用のインクジェット捺染装置である。
【背景技術】
【０００２】
綿麻素材編物に捺染を行う時に、主に工場で大量に捺染を行う。しかし、伝統的な捺染設備は体積が大きく、移動に不便であり、また、大量生産された編物は現代人の個性を重んじるニーズを満たすことができないため、一部の客をなくすことになる。さらに、伝統的な捺染設備は複数のモータを協働させることで、インクジェット装置の縦と横の移動を制御し、しかし、もしある方向に関わるモータが同期外れになると、模様全体に偏移が発生し、捺染効果が悪い。従って、綿麻素材編物用のインクジェット捺染装置を設計し、上記の問題を改善する必要がある。
【先行技術文献】
【特許文献】
【０００３】
【特許文献１】中国特許出願公開第１０３９２１５５５号明細書
【発明の概要】
【発明が解決しようとする課題】
【０００４】
綿麻素材編物用のインクジェット捺染装置を提供し、既存技術における上記の問題を解決することで、設備の実用性を向上させる。
【課題を解決するための手段】
【０００５】
上記の問題を解決するため、本発明は以下の技術プランを提供する：本発明による綿麻素材編物用のインクジェット捺染装置は、主体と前記主体の中に設置された左右に貫通した操作空間とを含み、前記操作空間の底壁の中には上方に開口したスライド空間が設置され、前記スライド空間の中にはスライド台がスライド可能に設置され、前記スライド空間の左右端壁の中には前記スライド台を連動させて左右に移動させることができる横移動装置が設置され、前記横移動装置は前記スライド空間の左側端壁の中に設置された第一歯車空間と前記スライド空間の右側端壁の中に設置されたロック空間とを含み、前記ロック空間の底壁の中には前記横移動装置をロックできるロック装置が設置され、前記ロック空間の中にはロック輪が回転可能に設置され、前記ロック装置は前記ロック輪の持つ片方向ロック特性を利用し、前記横移動装置の段階的移動とロックとを輔助でき、前記スライド台の頂壁の中には上方に開口した空き空間が設置され、前記空き空間の中には支持ブロックがスライド可能に設置され、前記支持ブロックの中には前記支持ブロックを前後に移動させることができる縦移動装置が設置され、前記縦移動装置は前記支持ブロックの中に設置された伝動空間を含み、前記伝動空間の中にはネジ山スリーブが設置され、前記ネジ山スリーブが回転することで前記支持ブロックを連動させて前後に移動させることができ、前記支持ブロックと前記スライド台とが移動することで、ノズルを連動させて既定の軌跡に沿って移動させることができ、それにより、前記編物に対する吹きかけを可能にし、前記操作空間の前後端壁の中には対向に開口した第一スライド溝が形成され、前記第一スライド溝の中にはスライド板がスライド可能に設置され、前記支持ブロックの前後端壁の中には凹溝が対称に形成され、前記支持ブロックが前記空き空間の前後両側の末端に移動する時に、前記凹溝の端壁と前記スライド板とが当接し、そして前記スライド板は駆動されて移動し、それにより、前記横移動装置は次の位置に移動することができる。
【０００６】
さらに、前記横移動装置は前記スライド空間と前記第一歯車空間との間に設置されたラチェット空間を含み、前記ラチェット空間と前記第一歯車空間との間には第一回転軸が回転可能に設置され、前記ラチェット空間の中にある前記第一回転軸の末端にはラチェットが固定的に設置され、前記第一歯車空間の中にある前記第一回転軸の末端には第一歯車が固定的に設置され、前記スライド台の中には左右に貫通した第一ネジ穴が設置され、前記第一ネジ穴の中には第一スクリューがネジ山で連結され、前記第一スクリューの左側末端は前記ラチェット空間の中に延在し、且つ前記第一スクリューの末端には前記ラチェットと協働できるラチェット盤が固定的に設置され、前記第一スクリューの右側末端は前記ロック空間の中に延在し、且つ前記第一スクリューの末端には前記ロック空間の右側端壁と連結された捻りばねが固定的に設置されている。
【０００７】
さらに、前記操作空間の前後端壁の中には第二歯車空間が対称に設置され、前記第二歯車空間と前記第一スライド溝とは連通され、前記スライド板と前記第一スライド溝の端壁との間には第一復位装置が設置され、前記スライド板の底壁には第一ラックが固定的に設置され、前記第二歯車空間の中には第二歯車が回転可能に設置され、後側の前記第二歯車空間と前記第一歯車空間との間には第二スライド溝が連通するように形成され、前記第二スライド溝の中には前記第二歯車と噛み合った第二ラックがスライド可能に設置され、前側の前記第二歯車空間の底壁の中には移動空間が設置され、前記移動空間の中にはスライドブロックがスライド可能に設置され、前記スライドブロックの頂壁の中には前側の前記第二歯車と噛み合った第三ラックが設置され、前記移動空間と前記第一歯車空間との間には第三スライド溝が連通するように形成され、前記第三スライド溝の中には前記スライドブロックと固定的に連結された第四ラックがスライド可能に設置されている。
【０００８】
さらに、前記ロック装置は前記ロック空間の中にある前記第一スクリューの外表面に固定的に設置されたロック輪を含み、前記ロック空間の底壁の中には上方に開口した第一スライド孔が設置され、前記第一スライド孔の中には第一スライド棒がスライド可能に設置され、前記第一スライド棒と前記第一スライド孔の端壁との間には第二復位装置が設置され、前記第一スライド棒の中には左右に貫通した楔形孔が設置され、前記スライド空間の右側端壁の中には前記第一スライド孔を貫通した第二スライド孔が設置され、前記第二スライド孔の中には第二スライド棒がスライド可能に設置され、前記第二スライド棒と前記スライド台との間には引き線が固定的に設置されている。
【０００９】
さらに、前記縦移動装置は前記伝動空間の中に回転可能に設置されたネジ山スリーブを含み、前記ネジ山スリーブの中には前後に貫通した第二ネジ穴が設置され、前記第二ネジ穴の中には第二スクリューがネジ山で連結され、前記第二スクリューの前後両側の末端は前記空き空間の前後端壁に固定的に設置され、前記伝動空間の中にある前記ネジ山スリーブの外表面には第一傘歯車が固定的に設置され、前記伝動空間の左側端壁の中には駆動モータが固定的に設置され、前記駆動モータの出力軸の末端には前記駆動モータと噛み合った第二傘歯車が固定的に設置され、前記支持ブロックの中には前後に貫通した第三スライド孔が設置され、前記第三スライド孔の中には第三スライド棒がスライド可能に設置され、前記第三スライド棒の前後両側の末端は前記空き空間の前後端壁に固定的に設置されている。
【００１０】
さらに、前記スライド空間と前記操作空間との連通部には編物を平らに置くことができる支持板が固定的に設置され、吹きかけに便利である。
【００１１】
さらに、前記ノズルは多色の吹きかけを行うことができ、吹きかけの効果をより良くさせ、色をより豊かにさせる。
【発明の効果】
【００１２】
本発明は以下のプラス効果を有する：本発明が開示した綿麻素材編物用のインクジェット捺染装置は、綿麻素材編物に対する自動的なインクジェット捺染を可能にし、当該設備は体積が小さく、移動に便利であるため、いかなる場合でも綿麻素材編物にインクジェット捺染を行うことができ、また、設備はモータ一つだけでノズルの横と縦の段階的移動を可能にし、複数のモータが協働する中でモータの同期外れによる混乱を避け、使用と生産に便利で、普及に値する。
【図面の簡単な説明】
【００１３】
下記に図１〜４を合わせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１４】
【図１】図１は本発明である綿麻素材編物用のインクジェット捺染装置の全体構成略    図
【図２】図２は図１におけるＡ―Ａの構成略図
【図３】図３は図１におけるＢ―Ｂの構成略図
【図４】図４は図２におけるＣ―Ｃの構成略図
【発明を実施するための形態】
【００１５】
図１〜４を合わせ、本発明による綿麻素材編物用のインクジェット捺染装置は、主体１０と前記主体１０の中に設置された左右に貫通した操作空間２７とを含み、前記操作空間２７の底壁の中には上方に開口したスライド空間１６が設置され、前記スライド空間１６の中にはスライド台３２がスライド可能に設置され、前記スライド空間１６の左右端壁の中には前記スライド台３２を連動させて左右に移動させることができる横移動装置２００が設置され、前記横移動装置２００は前記スライド空間１６の左側端壁の中に設置された第一歯車空間４０と前記スライド空間１６の右側端壁の中に設置されたロック空間２６とを含み、前記ロック空間２６の底壁の中には前記横移動装置２００をロックできるロック装置３００が設置され、前記ロック空間２６の中にはロック輪２５が回転可能に設置され、前記ロック装置３００は前記ロック輪２５の持つ片方向ロック特性を利用し、前記横移動装置２００の段階的移動とロックとを輔助でき、前記スライド台３２の頂壁の中には上方に開口した空き空間５７が設置され、前記空き空間５７の中には支持ブロック５４がスライド可能に設置され、前記支持ブロック５４の中には前記支持ブロック５４を前後に移動させることができる縦移動装置４００が設置され、前記縦移動装置４００は前記支持ブロック５４の中に設置された伝動空間５６を含み、前記伝動空間５６の中にはネジ山スリーブ５０が設置され、前記ネジ山スリーブ５０が回転することで前記支持ブロック５４を連動させて前後に移動させることができ、前記支持ブロック５４と前記スライド台３２とが移動することで、ノズル２９を連動させて既定の軌跡に沿って移動させることができ、それにより、前記編物に対する吹きかけを可能にし、前記操作空間２７の前後端壁の中には対向に開口した第一スライド溝３５が形成され、前記第一スライド溝３５の中にはスライド板５８がスライド可能に設置され、前記支持ブロック５４の前後端壁の中には凹溝５５が対称に形成され、前記支持ブロック５４が前記空き空間５７の前後両側の末端に移動する時に、前記凹溝５５の端壁と前記スライド板５８とが当接し、そして前記スライド板５８は駆動されて移動し、それにより、前記横移動装置２００は次の位置に移動することができる。
【００１６】
好ましくは、前記横移動装置２００は前記スライド空間１６と前記第一歯車空間４０との間に設置されたラチェット空間１１を含み、前記ラチェット空間１１と前記第一歯車空間４０との間には第一回転軸４１が回転可能に設置され、前記ラチェット空間１１の中にある前記第一回転軸４１の末端にはラチェット１２が固定的に設置され、前記第一歯車空間４０の中にある前記第一回転軸４１の末端には第一歯車４２が固定的に設置され、前記スライド台３２の中には左右に貫通した第一ネジ穴１４が設置され、前記第一ネジ穴１４の中には第一スクリュー１５がネジ山で連結され、前記第一スクリュー１５の左側末端は前記ラチェット空間１１の中に延在し、且つ前記第一スクリュー１５の末端には前記ラチェット１２と協働できるラチェット盤１３が固定的に設置され、前記第一スクリュー１５の右側末端は前記ロック空間２６の中に延在し、且つ前記第一スクリュー１５の末端には前記ロック空間２６の右側端壁と連結された捻りばね２４が固定的に設置されている。
【００１７】
好ましくは、前記操作空間２７の前後端壁の中には第二歯車空間３６が対称に設置され、前記第二歯車空間３６と前記第一スライド溝３５とは連通され、前記スライド板５８と前記第一スライド溝３５の端壁との間には第一復位装置３３が設置され、前記スライド板５８の底壁には第一ラック３４が固定的に設置され、前記第二歯車空間３６の中には第二歯車３７が回転可能に設置され、後側の前記第二歯車空間３６と前記第一歯車空間４０との間には第二スライド溝３９が連通するように形成され、前記第二スライド溝３９の中には前記第二歯車３７と噛み合った第二ラック３８がスライド可能に設置され、前側の前記第二歯車空間３６の底壁の中には移動空間４５が設置され、前記移動空間４５の中にはスライドブロック４６がスライド可能に設置され、前記スライドブロック４６の頂壁の中には前側の前記第二歯車３７と噛み合った第三ラック４７が設置され、前記移動空間４５と前記第一歯車空間４０との間には第三スライド溝４４が連通するように形成され、前記第三スライド溝４４の中には前記スライドブロック４６と固定的に連結された第四ラック４３がスライド可能に設置されている。
【００１８】
好ましくは、前記ロック装置３００は前記ロック空間２６の中にある前記第一スクリュー１５の外表面に固定的に設置されたロック輪２５を含み、前記ロック空間２６の底壁の中には上方に開口した第一スライド孔１９が設置され、前記第一スライド孔１９の中には第一スライド棒２３がスライド可能に設置され、前記第一スライド棒２３と前記第一スライド孔１９の端壁との間には第二復位装置２２が設置され、前記第一スライド棒２３の中には左右に貫通した楔形孔２１が設置され、前記スライド空間１６の右側端壁の中には前記第一スライド孔１９を貫通した第二スライド孔２０が設置され、前記第二スライド孔２０の中には第二スライド棒１８がスライド可能に設置され、前記第二スライド棒１８と前記スライド台３２との間には引き線１７が固定的に設置されている。  
【００１９】
好ましくは、前記縦移動装置４００は前記伝動空間５６の中に回転可能に設置されたネジ山スリーブ５０を含み、前記ネジ山スリーブ５０の中には前後に貫通した第二ネジ穴４９が設置され、前記第二ネジ穴４９の中には第二スクリュー４８がネジ山で連結され、前記第二スクリュー４８の前後両側の末端は前記空き空間５７の前後端壁に固定的に設置され、前記伝動空間５６の中にある前記ネジ山スリーブ５００の外表面には第一傘歯車５１が固定的に設置され、前記伝動空間５６の左側端壁の中には駆動モータ３１が固定的に設置され、前記駆動モータ３１の出力軸の末端には前記駆動モータ３１と噛み合った第二傘歯車３０が固定的に設置され、前記支持ブロック５４の中には前後に貫通した第三スライド孔５３が設置され、前記第三スライド孔５３の中には第三スライド棒５２がスライド可能に設置され、前記第三スライド棒５２の前後両側の末端は前記空き空間５７の前後端壁に固定的に設置されている。
【００２０】
好ましくは、前記スライド空間１６と前記操作空間２７との連通部には編物を平らに置くことができる支持板２８が固定的に設置され、吹きかけに便利である。
【００２１】
好ましくは、前記ノズル２９は多色の吹きかけを行うことができ、吹きかけの効果をより良くさせ、色をより豊かにさせる。
【００２２】
装置全体の作動手順は以下の通りである。
【００２３】
１．本発明の設備が作業する時に、インクジェット捺染要りの編物を前記支持板２８の上方に置き、この時、前記駆動モータ３１と前記ノズル２９とを作動させ、この時、設備の制御器は前記駆動モータ３１を制御して前記第二傘歯車３０を回転連動させ、そして前記第一傘歯車５１は駆動されて回転し、さらに前記ネジ山スリーブ５０は駆動されて回転し、さらに前記支持ブロック５４は駆動されて前記第二スクリュー４８に沿って移動し、この時、前記ノズル２９は前記支持ブロック５４とともに移動し、前記支持ブロック５４が最前側に移動した時に、前記凹溝５５と前側の前記スライド板５８とが当接し、この時、前記スライド板５８は前記第二歯車３７を回転連動させ、そして前記スライドブロック４６を連動させて後側へ移動させ、この時、前記第四ラック４３が移動し、前記第一歯車４２を回転連動させ、前記第一歯車４２が回転することで前記ラチェット１２を回転連動させ、これによりラチェット盤１３を回転連動させ、そして前記第一スクリュー１５は駆動されて回転し、、さらに前記スライド台３２は駆動されて右方へ次の位置に移動し、前記第一スクリュー１５が回転する時に、前記ロック輪２５は駆動されて回転し、そして前記第一スライド棒２３は押されて下方に移動し、同時に前記第一スクリュー１５の回転は前記捻りばね２４を連動させてエネルギーを貯めさせる。
【００２４】
２．この時に前記駆動モータ３１を作動させて逆回転させ、前記支持ブロック５４を連動させて後方に移動させ、前記支持ブロック５４が最後側に移動した時に、前記凹溝５５と後側の前記スライド板５８とが当接し、この時、前記スライド板５８は前記第二歯車３７を回転連動させ、そして前記第二ラック３８は駆動されて回転し、さらに前記第一歯車４２は駆動されて回転し、前記第一歯車４２の回転は前記ラチェット１２を回転連動させ、そして前記ラチェット盤１３は駆動されて回転し、さらに前記第一スクリュー１５は駆動されて回転し、それにより、前記スライド台３２は駆動されて右へ次の位置に移動し、前記第一スクリュー１５が回転する時に前記ロック輪２５を回転連動させ、そして前記第一スライド棒２３は押されて下方に移動し、同時に前記第一スクリュー１５の回転は前記捻りばね２４を連動させてエネルギーを貯めさせる。
【００２５】
３．前記スライド台３２が段階的に右方に移動し、同時に前記ノズル２９は駆動されて編物にインクジェット捺染を行い、前記スライド台３２が最右側に移動した時に、インクジェットは完了とし、この時、前記スライド台３２と前記第二スライド棒１８とが当接し、そして前記第二スライド棒１８は駆動されて右方へ移動し、さらに前記第一スライド棒２３は駆動されて下方へ移動して前記ロック輪２５の中の斜歯から出され、この時、前記第一スクリュー１５は前記捻りばね２４によって逆回転し、そして前記スライド台３２は駆動されて左方に移動し、前記スライド台３２が最左側に移動した時に、前記引き線１７は前記第二スライド棒１８を引いて左方に移動させ、この時、前記第一スライド棒２３は前記第二復位装置２２によって上方に移動し、この時、前記第一スライド棒２３は再び前記ロック輪２５の中の斜歯内に插入され、この時に設備が初期状態に戻り、インクジェット捺染を完了とする。
【００２６】
以上の実施例はあくまで本発明の技術的原理と特徴を説明するためのものであり、本分野の技術者に本発明を理解できることと実施できることを目的とし、本発明を限定するためのものではなく、本発明の意義と原則のもとで行われたいかなる修正と、等価置換と改善などは本発明の保護範囲に含まれるべきである。
【要約】
【課題】本発明は綿麻素材編物用のインクジェット捺染装置を開示した。
【解決手段】
本発明は綿麻素材編物用のインクジェット捺染装置を開示し、主体と前記主体の中に設置された左右に貫通した操作空間とを含み、前記操作空間の底壁の中には上方に開口したスライド空間が設置され、前記スライド空間の中にはスライド台がスライド可能に設置され、本発明が開示した綿麻素材編物用のインクジェット捺染装置は、綿麻素材編物に対する自動的なインクジェット捺染を可能にし、当該設備は体積が小さく、移動に便利であるため、いかなる場合でも綿麻素材編物にインクジェット捺染を行うことができ、また、設備はモータ一つだけでノズルの横と縦の段階的移動を可能にし、複数のモータが協働する中でモータの同期外れによる混乱を避け、使用と生産に便利で、普及に値する。
【選択図】図１【図１】
0006748814.tif 000002
【図２】
0006748814.tif 000003
【図３】
0006748814.tif 000004
【図４】
0006748814.tif 000005